【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
サブフレームの少なくとも１つの物理リソースブロック（ＰＲＢ）ペアのリソースの第１の部分を使用して制御チャネルを送信することと、
前記制御チャネルを送信するために使用されない前記ＰＲＢペアのリソースの第２の部分がデータチャネルを送信するために利用可能であるかどうかに関する指示を与えることとを備え、
第１のリソース割振りグラニュラリティがコントロールチャネルを送信するために利用可能であるＰＲＢペアのデータチャネルリソースを割振るために使用され、第２のリソース割振りグラニュラリティがコントロールチャネルを送信するために使用可能でないＰＲＢペアのデータチャネルリソースを割当てるために使用される、
基地局（ＢＳ）によるワイヤレス通信の方法。
【請求項２】
前記指示が前記制御チャネル中の１つ以上のビットを備える、請求項１に記載の方法。
【請求項３】
前記１つ以上のビットは、リソースの前記第２の部分のどのリソースが前記データチャネルを送信するために利用可能であるかを示す複数のビットを備える、請求項２に記載の方法。
【請求項４】
前記１つ以上のビットが、制御チャネルを送信するために利用可能であるＰＲＢペアのサブセットを示す、請求項２に記載の方法。
【請求項５】
前記第１のリソース割振りグラニュラリティが１つ以上の制御チャネル要素（ＣＣＥ）のうちの整数個を備え、
前記第２のリソース割振りグラニュラリティが１つ以上のＰＲＢのうちの整数個を備える、請求項１に記載の方法。
【請求項６】
前記制御チャネルと対応する前記データチャネルとによって占有される帯域幅がしきい値以下である、請求項１に記載の方法。
【請求項７】
前記しきい値が６つのリソースブロックである、請求項６に記載の方法。
【請求項８】
サブフレームの少なくとも１つの物理リソースブロック（ＰＲＢ）ペアのリソースの第１の部分を使用して制御チャネルを送信するための手段と、
前記制御チャネルを送信するために使用されない前記ＰＲＢペアのリソースの第２の部分がデータチャネルを送信するために利用可能であるかどうかに関する指示を与えるための手段とを備え、
第１のリソース割振りグラニュラリティがコントロールチャネルを送信するために利用可能であるＰＲＢペアのデータチャネルリソースを割振るために使用され、第２のリソース割振りグラニュラリティがコントロールチャネルを送信するために使用可能でないＰＲＢペアのデータチャネルリソースを割当てるために使用される、
ワイヤレス通信のための装置。
【請求項９】
サブフレームの少なくとも１つの物理リソースブロック（ＰＲＢ）ペアのリソースの第１の部分を使用して制御チャネルを受信することと、
前記制御チャネルを送信するために使用されない前記ＰＲＢペアのリソースの第２の部分がデータチャネルを受信するために利用可能であるかどうかに関する指示を受信することとを備え、
第１のリソース割振りグラニュラリティがコントロールチャネルを送信するために利用可能であるＰＲＢペアのデータチャネルリソースを割振るために使用され、第２のリソース割振りグラニュラリティがコントロールチャネルを送信するために使用可能でないＰＲＢペアのデータチャネルリソースを割当てるために使用される、
ユーザ機器（ＵＥ）によるワイヤレス通信の方法。
【請求項１０】
前記指示が前記制御チャネル中の１つまたは複数のビットを備える、請求項９に記載の方法。
【請求項１１】
前記１つまたは複数のビットは、リソースの前記第２の部分のどのリソースが前記データチャネルを受信するために利用可能であるかを示す複数のビットを備える、請求項１０に記載の方法。
【請求項１２】
前記１つまたは複数のビットが、制御チャネルを受信するために利用可能であるＰＲＢペアのサブセットを示す、請求項１０に記載の方法。
【請求項１３】
前記第１のリソース割振りグラニュラリティが１つまたは複数の制御チャネル要素（ＣＣＥ）のうちの整数個を備え、
前記第２のリソース割振りグラニュラリティが１つまたは複数のＰＲＢのうちの整数個を備える、請求項９に記載の方法。
【請求項１４】
サブフレームの少なくとも１つの物理リソースブロック（ＰＲＢ）ペアのリソースの第１の部分を使用して制御チャネルを受信するための手段と、
前記制御チャネルを送信するために使用されない前記ＰＲＢペアのリソースの第２の部分がデータチャネルを受信するために利用可能であるかどうかに関する指示を受信するための手段とを備え、
第１のリソース割振りグラニュラリティがコントロールチャネルを送信するために利用可能であるＰＲＢペアのデータチャネルリソースを割振るために使用され、第２のリソース割振りグラニュラリティがコントロールチャネルを送信するために使用可能でないＰＲＢペアのデータチャネルリソースを割当てるために使用される、
ユーザ機器（ＵＥ）によるワイヤレス通信のための装置。
【請求項１５】
実行さえると、請求項１〜７又は９〜１３のいずれか１項に記載の方法を少なくとも１つのコンピュータに実行させるための実行可能命令を備えるコンピュータプログラム。
【手続補正２】
【補正対象書類名】明細書
【補正対象項目名】０１０４
【補正方法】変更
【補正の内容】
【０１０４】
[0118]  以上の説明は、本明細書で説明された様々な態様を、当業者が実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示するいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に本件出願当初の特許請求の範囲に記載された発明を付記する。
［１］  サブフレームの少なくとも１つの物理リソースブロック（ＰＲＢ）ペアのリソースの第１の部分を使用して制御チャネルを送信することと、前記制御チャネルを送信するために使用されない前記ＰＲＢペアのリソースの第２の部分がデータチャネルを送信するために利用可能であるかどうかに関する指示を与えることとを備える、基地局（ＢＳ）によるワイヤレス通信の方法。
［２］  前記指示が前記制御チャネル中の１つまたは複数のビットを備える、［１］に記載の方法。
［３］  前記１つまたは複数のビットは、リソースの前記第２の部分が前記データチャネルを送信するために利用可能であるか否かを示す単一のビットを備える、［２］に記載の方法。
［４］  前記１つまたは複数のビットは、リソースの前記第２の部分のどのリソースが前記データチャネルを送信するために利用可能であるかを示す複数のビットを備える、［２］に記載の方法。
［５］  前記１つまたは複数のビットが、制御チャネルを送信するために利用可能であるＰＲＢペアのサブセットを示す、［２］に記載の方法。
［６］  第１のリソース割振りグラニュラリティが、制御チャネルを送信するために利用可能であるＰＲＢペアのデータチャネルリソースを割り振るために使用され、第２のリソース割振りグラニュラリティが、制御チャネルを送信するために利用可能でないＰＲＢペアのデータチャネルリソースを割り振るために使用される、［１］に記載の方法。
［７］  前記第１のリソース割振りグラニュラリティが１つまたは複数の制御チャネル要素（ＣＣＥ）のうちの整数個を備え、前記第２のリソース割振りグラニュラリティが１つまたは複数のＰＲＢのうちの整数個を備える、［６］に記載の方法。
［８］  前記サブフレームがＬＴＥサブフレームを備える、［１］に記載の方法。
［９］  前記制御チャネルが拡張物理ダウンリンク制御チャネル（ｅ−ＰＤＣＣＨ）を備える、［１］に記載の方法。
［１０］  前記データチャネルが物理データ共有チャネル（ＰＤＳＣＨ）を備える、［１］に記載の方法。
［１１］  前記制御チャネルと前記対応するデータチャネルとによって占有される帯域幅がしきい値以下である、［１］に記載の方法。
［１２］  前記しきい値が６つのリソースブロックである、［１１］に記載の方法。
［１３］  サブフレームの少なくとも１つの物理リソースブロック（ＰＲＢ）ペアのリソースの第１の部分を使用して制御チャネルを送信するための手段と、前記制御チャネルを送信するために使用されない前記ＰＲＢペアのリソースの第２の部分がデータチャネルを送信するために利用可能であるかどうかに関する指示を与えるための手段とを備える、ワイヤレス通信のための装置。
［１４］  前記指示が前記制御チャネル中の１つまたは複数のビットを備える、［１３］に記載の装置。
［１５］  前記１つまたは複数のビットは、リソースの前記第２の部分が前記データチャネルを送信するために利用可能であるか否かを示す単一のビットを備える、［１４］に記載の装置。
［１６］  前記１つまたは複数のビットは、リソースの前記第２の部分のどのリソースが前記データチャネルを送信するために利用可能であるかを示す複数のビットを備える、［１４］に記載の装置。
［１７］  前記１つまたは複数のビットが、制御チャネルを送信するために利用可能であるＰＲＢペアのサブセットを示す、［１４］に記載の装置。
［１８］  第１のリソース割振りグラニュラリティが、制御チャネルを送信するために利用可能であるＰＲＢペアのデータチャネルリソースを割り振るために使用され、第２のリソース割振りグラニュラリティが、制御チャネルを送信するために利用可能でないＰＲＢペアのデータチャネルリソースを割り振るために使用される、［１３］に記載の装置。
［１９］  前記第１のリソース割振りグラニュラリティが１つまたは複数の制御チャネル要素（ＣＣＥ）のうちの整数個を備え、前記第２のリソース割振りグラニュラリティが１つまたは複数のＰＲＢのうちの整数個を備える、［１８］に記載の装置。
［２０］  前記サブフレームがＬＴＥサブフレームを備える、［１３］に記載の装置。
［２１］  前記制御チャネルが拡張物理ダウンリンク制御チャネル（ｅ−ＰＤＣＣＨ）を備える、［１３］に記載の装置。
［２２］  前記データチャネルが物理データ共有チャネル（ＰＤＳＣＨ）を備える、［１３］に記載の装置。
［２３］  前記制御チャネルと前記対応するデータチャネルとによって占有される帯域幅がしきい値以下である、［１３］に記載の装置。
［２４］  前記しきい値が６つのリソースブロックである、［２３］に記載の装置。
［２５］  サブフレームの少なくとも１つの物理リソースブロック（ＰＲＢ）ペアのリソースの第１の部分を使用して制御チャネルを送信することと、前記制御チャネルを送信するために使用されない前記ＰＲＢペアのリソースの第２の部分がデータチャネルを送信するために利用可能であるかどうかに関する指示を与えることとを行うように構成された少なくとも１つのプロセッサと、前記少なくとも１つのプロセッサに結合されたメモリとを備える、ワイヤレス通信のための装置。
［２６］  サブフレームの少なくとも１つの物理リソースブロック（ＰＲＢ）ペアのリソースの第１の部分を使用して制御チャネルを送信することと、前記制御チャネルを送信するために使用されない前記ＰＲＢペアのリソースの第２の部分がデータチャネルを送信するために利用可能であるかどうかに関する指示を与えることとを行うためのコードを備えるコンピュータ可読媒体を備える、ワイヤレス通信のためのコンピュータプログラム製品。
［２７］  サブフレームの少なくとも１つの物理リソースブロック（ＰＲＢ）ペアのリソースの第１の部分を使用して制御チャネルを受信することと、前記制御チャネルを送信するために使用されない前記ＰＲＢペアのリソースの第２の部分がデータチャネルを受信するために利用可能であるかどうかに関する指示を受信することとを備える、ユーザ機器（ＵＥ）によるワイヤレス通信の方法。
［２８］  前記指示が前記制御チャネル中の１つまたは複数のビットを備える、［２７］に記載の方法。
［２９］  前記１つまたは複数のビットは、リソースの前記第２の部分が前記データチャネルを受信するために利用可能であるか否かを示す単一のビットを備える、［２８］に記載の方法。
［３０］  前記１つまたは複数のビットは、リソースの前記第２の部分のどのリソースが前記データチャネルを受信するために利用可能であるかを示す複数のビットを備える、［２８］に記載の方法。
［３１］  前記１つまたは複数のビットが、制御チャネルを受信するために利用可能であるＰＲＢペアのサブセットを示す、［２８］に記載の方法。
［３２］  第１のリソース割振りグラニュラリティが、制御チャネルを受信するために利用可能であるＰＲＢペアのデータチャネルリソースを割り振るために使用され、第２のリソース割振りグラニュラリティが、制御チャネルを受信するために利用可能でないＰＲＢペアのデータチャネルリソースを割り振るために使用される、［２７］に記載の方法。
［３３］  前記第１のリソース割振りグラニュラリティが１つまたは複数の制御チャネル要素（ＣＣＥ）のうちの整数個を備え、前記第２のリソース割振りグラニュラリティが１つまたは複数のＰＲＢのうちの整数個を備える、［３２］に記載の方法。
［３４］  前記サブフレームがＬＴＥサブフレームを備える、［２７］に記載の方法。
［３５］  前記制御チャネルが拡張物理ダウンリンク制御チャネル（ｅ−ＰＤＣＣＨ）を備える、［２７］に記載の方法。
［３６］  前記データチャネルが物理データ共有チャネル（ＰＤＳＣＨ）を備える、［２７］に記載の方法。
［３７］  前記制御チャネルと前記対応するデータチャネルとによって占有される帯域幅がしきい値以下である、［２７］に記載の方法。
［３８］  前記しきい値が６つのリソースブロックである、［３７］に記載の方法。
［３９］  サブフレームの少なくとも１つの物理リソースブロック（ＰＲＢ）ペアのリソースの第１の部分を使用して制御チャネルを受信するための手段と、前記制御チャネルを送信するために使用されない前記ＰＲＢペアのリソースの第２の部分がデータチャネルを受信するために利用可能であるかどうかに関する指示を受信するための手段とを備える、ユーザ機器（ＵＥ）によるワイヤレス通信のための装置。
［４０］  前記指示が前記制御チャネル中の１つまたは複数のビットを備える、［３９］に記載の装置。
［４１］  前記１つまたは複数のビットは、リソースの前記第２の部分が前記データチャネルを受信するために利用可能であるか否かを示す単一のビットを備える、［４０］に記載の装置。
［４２］  前記１つまたは複数のビットは、リソースの前記第２の部分のどのリソースが前記データチャネルを受信するために利用可能であるかを示す複数のビットを備える、［４０］に記載の装置。
［４３］  前記１つまたは複数のビットが、制御チャネルを受信するために利用可能であるＰＲＢペアのサブセットを示す、［４０］に記載の装置。
［４４］  第１のリソース割振りグラニュラリティが、制御チャネルを受信するために利用可能であるＰＲＢペアのデータチャネルリソースを割り振るために使用され、第２のリソース割振りグラニュラリティが、制御チャネルを受信するために利用可能でないＰＲＢペアのデータチャネルリソースを割り振るために使用される、［３９］に記載の装置。
［４５］  前記第１のリソース割振りグラニュラリティが１つまたは複数の制御チャネル要素（ＣＣＥ）のうちの整数個を備え、前記第２のリソース割振りグラニュラリティが１つまたは複数のＰＲＢのうちの整数個を備える、［４４］に記載の装置。
［４６］  前記サブフレームがＬＴＥサブフレームを備える、［３９］に記載の装置。
［４７］  前記制御チャネルが拡張物理ダウンリンク制御チャネル（ｅ−ＰＤＣＣＨ）を備える、［３９］に記載の装置。
［４８］  前記データチャネルが物理データ共有チャネル（ＰＤＳＣＨ）を備える、［３９］に記載の装置。
［４９］  前記制御チャネルと前記対応するデータチャネルとによって占有される帯域幅がしきい値以下である、［３９］に記載の装置。
［５０］  前記しきい値が６つのリソースブロックである、［４９］に記載の装置。
［５１］  サブフレームの少なくとも１つの物理リソースブロック（ＰＲＢ）ペアのリソースの第１の部分を使用して制御チャネルを受信することと、前記制御チャネルを送信するために使用されない前記ＰＲＢペアのリソースの第２の部分がデータチャネルを受信するために利用可能であるかどうかに関する指示を受信することとを行うように構成された少なくとも１つのプロセッサと、前記少なくとも１つのプロセッサに結合されたメモリとを備える、ワイヤレス通信のための装置。
［５２］  サブフレームの少なくとも１つの物理リソースブロック（ＰＲＢ）ペアのリソースの第１の部分を使用して制御チャネルを受信することと、前記制御チャネルを送信するために使用されない前記ＰＲＢペアのリソースの第２の部分がデータチャネルを受信するために利用可能であるかどうかに関する指示を受信することと  を行うためのコードを備えるコンピュータ可読媒体を備える、ワイヤレス通信のためのコンピュータプログラム製品。
［５３］  サブフレームの第２のサブセットのうちの１つまたは複数のサブフレーム中でのデータ送信をスケジュールするためにサブフレームの第１のサブセットのうちのサブフレーム中で制御情報を送信することと、ここにおいて、サブフレームの前記第１のサブセットが、データを送信することなしに制御情報を送信するために指定され、サブフレームの前記第２のサブセットが、制御情報を送信することなしにデータを送信するために指定される、前記送信された制御情報に従って前記第２のサブセットの前記１つまたは複数のサブフレーム中で前記データを送信することとを備える、基地局（ＢＳ）によるワイヤレス通信の方法。
［５４］  どのサブフレームが前記第１のサブセットに属するかという指示を与えることをさらに備える、［５３］に記載の方法。
［５５］  前記指示がブロードキャストされる、［５４］に記載の方法。
［５６］  どのサブフレームが前記第１のサブセットに属するかが共通探索空間ロケーションにリンクされる、［５３］に記載の方法。
［５７］  前記制御情報が、クロスキャリア指示フィールド（ＣＩＦ）を介してデータ送信をスケジュールする、［５３］に記載の方法。
［５８］  前記制御情報が拡張物理ダウンリンク制御チャネル（ｅ−ＰＤＣＣＨ）中で送信される、［５３］に記載の方法。
［５９］  前記第２のサブセットのサブフレーム中で制御情報を送信することをさらに備える、［５３］に記載の方法。
［６０］  前記制御情報を搬送する制御チャネルまたは前記データを搬送する対応するデータチャネルによって占有される帯域幅がしきい値以下である、［５３］に記載の方法。
［６１］  前記しきい値が６つのリソースブロックである、［６０］に記載の方法。
［６２］  前記制御情報を搬送する制御チャネルのための帯域幅ロケーションが半静的に判断され、前記データを搬送するデータチャネルのための前記帯域幅ロケーションが動的に判断される、［５３］に記載の方法。
［６３］  サブフレームの第２のサブセットのうちの１つまたは複数のサブフレーム中でのデータ送信をスケジュールするためにサブフレームの第１のサブセットのうちのサブフレーム中で制御情報を送信するための手段と、ここにおいて、サブフレームの前記第１のサブセットが、データを送信することなしに制御情報を送信するために指定され、サブフレームの前記第２のサブセットが、制御情報を送信することなしにデータを送信するために指定される、前記送信された制御情報に従って前記第２のサブセットの前記１つまたは複数のサブフレーム中で前記データを送信するための手段とを備える、基地局（ＢＳ）によるワイヤレス通信のための装置。
［６４］  どのサブフレームが前記第１のサブセットに属するかという指示を与えるための手段をさらに備える、［６３］に記載の装置。
［６５］  前記指示がブロードキャストされる、［６４］に記載の装置。
［６６］  どのサブフレームが前記第１のサブセットに属するかが共通探索空間ロケーションにリンクされる、［６３］に記載の装置。
［６７］  前記制御情報が、クロスキャリア指示フィールド（ＣＩＦ）を介してデータ送信をスケジュールする、［６３］に記載の装置。
［６８］  前記制御情報が拡張物理ダウンリンク制御チャネル（ｅ−ＰＤＣＣＨ）中で送信される、［６３］に記載の装置。
［６９］  前記第２のサブセットのサブフレーム中で制御情報を送信するための手段をさらに備える、［６３］に記載の装置。
［７０］  前記制御情報を搬送する制御チャネルまたは前記データを搬送する対応するデータチャネルによって占有される帯域幅がしきい値以下である、［６３］に記載の装置。
［７１］  前記しきい値が６つのリソースブロックである、［７０］に記載の装置。
［７２］  前記制御情報を搬送する制御チャネルのための帯域幅ロケーションが半静的に判断され、前記データを搬送するデータチャネルのための前記帯域幅ロケーションが動的に判断される、［６３］に記載の装置。
［７３］  サブフレームの第２のサブセットのうちの１つまたは複数のサブフレーム中でのデータ送信をスケジュールするためにサブフレームの第１のサブセットのうちのサブフレーム中で制御情報を送信することと、ここにおいて、サブフレームの前記第１のサブセットが、データを送信することなしに制御情報を送信するために指定され、サブフレームの前記第２のサブセットが、制御情報を送信することなしにデータを送信するために指定される、前記送信された制御情報に従って前記第２のサブセットの前記１つまたは複数のサブフレーム中で前記データを送信することとを行うように構成された少なくとも１つのプロセッサと、前記少なくとも１つのプロセッサに結合されたメモリとを備える、ワイヤレス通信のための装置。
［７４］  サブフレームの第２のサブセットのうちの１つまたは複数のサブフレーム中でのデータ送信をスケジュールするためにサブフレームの第１のサブセットのうちのサブフレーム中で制御情報を送信することと、ここにおいて、サブフレームの前記第１のサブセットが、データを送信することなしに制御情報を送信するために指定され、サブフレームの前記第２のサブセットが、制御情報を送信することなしにデータを送信するために指定される、前記送信された制御情報に従って前記第２のサブセットの前記１つまたは複数のサブフレーム中で前記データを送信することと  を行うためのコードを備えるコンピュータ可読媒体を備える、ワイヤレス通信のためのコンピュータプログラム製品。
［７５］  サブフレームの第２のサブセットのうちの１つまたは複数のサブフレーム中でのデータ送信をスケジュールする、サブフレームの第１のサブセットのうちのサブフレーム中で制御情報を受信することと、ここにおいて、サブフレームの前記第１のサブセットが、データを受信することなしに制御情報を受信するために指定され、サブフレームの前記第２のサブセットが、制御情報を受信することなしにデータを受信するために指定される、前記受信された制御情報に従って前記第２のサブセットの前記１つまたは複数のサブフレーム中で前記データを受信することとを備える、ユーザ機器（ＵＥ）によるワイヤレス通信の方法。
［７６］  どのサブフレームが前記第１のサブセットに属するかという指示を受信することをさらに備える、［７５］に記載の方法。
［７７］  前記指示がブロードキャストされる、［７６］に記載の方法。
［７８］  どのサブフレームが前記第１のサブセットに属するかが共通探索空間ロケーションにリンクされる、［７５］に記載の方法。
［７９］  前記制御情報が、クロスキャリア指示フィールド（ＣＩＦ）を介してデータ送信をスケジュールする、［７５］に記載の方法。
［８０］  前記制御情報が拡張物理ダウンリンク制御チャネル（ｅ−ＰＤＣＣＨ）中で受信される、［７５］に記載の方法。
［８１］  前記第２のサブセットのサブフレーム中で制御情報を受信することをさらに備える、［７５］に記載の方法。
［８２］  前記制御情報を搬送する制御チャネルまたは前記データを搬送する対応するデータチャネルによって占有される帯域幅がしきい値以下である、［７５］に記載の方法。
［８３］  前記しきい値が６つのリソースブロックである、［８２］に記載の方法。
［８４］  前記制御情報を搬送する制御チャネルのための帯域幅ロケーションが半静的に判断され、前記データを搬送するデータチャネルのための前記帯域幅ロケーションが動的に判断される、［７５］に記載の方法。
［８５］  サブフレームの第２のサブセットのうちの１つまたは複数のサブフレーム中でのデータ送信をスケジュールする、サブフレームの第１のサブセットのうちのサブフレーム中で制御情報を受信するための手段と、ここにおいて、サブフレームの前記第１のサブセットが、データを受信することなしに制御情報を受信するために指定され、サブフレームの前記第２のサブセットが、制御情報を受信することなしにデータを受信するために指定される、前記受信された制御情報に従って前記第２のサブセットの前記１つまたは複数のサブフレーム中で前記データを受信するための手段とを備える、ユーザ機器（ＵＥ）によるワイヤレス通信のための装置。
［８６］  どのサブフレームが前記第１のサブセットに属するかという指示を受信するための手段をさらに備える、［８５］に記載の装置。
［８７］  前記指示がブロードキャストされる、［８６］に記載の装置。
［８８］  どのサブフレームが前記第１のサブセットに属するかが共通探索空間ロケーションにリンクされる、［８５］に記載の装置。
［８９］  前記制御情報が、クロスキャリア指示フィールド（ＣＩＦ）を介してデータ送信をスケジュールする、［８５］に記載の装置。
［９０］  前記制御情報が拡張物理ダウンリンク制御チャネル（ｅ−ＰＤＣＣＨ）中で受信される、［８５］に記載の装置。
［９１］  前記第２のサブセットのサブフレーム中で制御情報を受信するための手段をさらに備える、［８５］に記載の装置。
［９２］  前記制御情報を搬送する制御チャネルまたは前記データを搬送する対応するデータチャネルによって占有される帯域幅がしきい値以下である、［８５］に記載の装置。
［９３］  前記しきい値が６つのリソースブロックである、［９２］に記載の装置。
［９４］  前記制御情報を搬送する制御チャネルのための帯域幅ロケーションが半静的に判断され、前記データを搬送するデータチャネルのための前記帯域幅ロケーションが動的に判断される、［８５］に記載の装置。
［９５］  サブフレームの第２のサブセットのうちの１つまたは複数のサブフレーム中でのデータ送信をスケジュールする、サブフレームの第１のサブセットのうちのサブフレーム中で制御情報を受信することと、ここにおいて、サブフレームの前記第１のサブセットが、データを受信することなしに制御情報を受信するために指定され、サブフレームの前記第２のサブセットが、制御情報を受信することなしにデータを受信するために指定される、前記受信された制御情報に従って前記第２のサブセットの前記１つまたは複数のサブフレーム中で前記データを受信することと  を行うように構成された少なくとも１つのプロセッサと、前記少なくとも１つのプロセッサに結合されたメモリとを備える、ワイヤレス通信のための装置。
［９６］  サブフレームの第２のサブセットのうちの１つまたは複数のサブフレーム中でのデータ送信をスケジュールする、サブフレームの第１のサブセットのうちのサブフレーム中で制御情報を受信することと、ここにおいて、サブフレームの前記第１のサブセットが、データを受信することなしに制御情報を受信するために指定され、サブフレームの前記第２のサブセットが、制御情報を受信することなしにデータを受信するために指定される、前記受信された制御情報に従って前記第２のサブセットの前記１つまたは複数のサブフレーム中で前記データを受信することと  を行うためのコードを備えるコンピュータ可読媒体を備える、ワイヤレス通信のためのコンピュータプログラム製品。